(57)【特許請求の範囲】
【請求項１】
ＳＳＡ地理的サービスエリアを有し、通信データをＳＳＡユーザ装置（ＳＵＥ）と交換するように構成された狭サービスエリア（ＳＳＡ）基地局と、
前記ＳＳＡ地理的サービスエリアと少なくとも部分的に重複するＬＳＡ地理的サービスエリアを有し、通信データをＬＳＡユーザ装置（ＬＵＥ）と交換するように構成された広サービスエリア（ＬＳＡ）基地局であって、前記ＬＳＡ基地局による通信に使用されることになる通信リソースを示すＬＳＡスケジューリング情報を送信するように構成された前記ＬＳＡ基地局と、を含み、
前記ＳＳＡ基地局は、
中継ＳＵＥ（ＲＳＵＥ）に対して、前記ＲＳＵＥが前記ＬＳＡ基地局から前記ＬＳＡスケジューリング情報を受信するよう指示する指示を送信し、
前記ＬＳＡスケジューリング情報を示すリソース情報を前記ＲＳＵＥから受信し、
前記リソース情報に基づいて通信リソースを前記ＳＵＥにスケジューリングするように構成されている、
システム。
【請求項２】
前記通信リソースは、時間・周波数ブロックを形成するように時分割された複数の周波数サブキャリアを含む、
請求項１に記載のシステム。
【請求項３】
前記ＳＳＡ基地局は、前記ＬＳＡスケジューリング情報により示される前記時間・周波数ブロックを前記ＳＵＥにスケジューリングしないように構成されている、
請求項２に記載のシステム。
【請求項４】
前記ＳＳＡ基地局は、前記ＳＵＥに対して、干渉を許容可能と識別された送信のための通信リソースをスケジューリングする場合に、前記ＬＳＡスケジューリング情報により示される前記時間・周波数ブロックをスケジューリングするように構成されている、
請求項２に記載のシステム。
【請求項５】
低サービス品質（ＱｏＳ）ＳＵＥは、他のＳＵＥに比べて低いＱｏＳを要求し、
前記ＳＳＡ基地局は、前記ＬＳＡスケジューリング情報により示される前記時間・周波数ブロックを前記低ＱｏＳ  ＳＵＥにスケジューリングするように構成されている、
請求項４に記載のシステム。
【請求項６】
近接ＳＵＥは、他のＳＵＥに比べて前記ＳＳＡ基地局に近く、
前記ＳＳＡ基地局は、前記ＬＳＡスケジューリング情報により示される前記時間・周波数ブロックを前記近接ＳＵＥにスケジューリングするように構成されている、
請求項４に記載のシステム。
【請求項７】
前記通信リソースは、下りリンク通信リソース及び上りリンク通信リソースのうち少なくとも１つである、
請求項１に記載のシステム。
【請求項８】
前記ＬＳＡ基地局及び前記ＳＳＡ基地局は、３ＧＰＰ  ＬＴＥ通信仕様に従った信号を送信及び受信する、
請求項１に記載のシステム。
【請求項９】
前記ＳＳＡ基地局は、
複数の前記ＳＵＥの各々から測定報告を受信し、
前記測定報告に少なくとも部分的に基づいて、前記複数の前記ＳＵＥから前記ＲＳＵＥを選択するように更に構成されている、
請求項１に記載のシステム。
【請求項１０】
前記ＳＳＡ基地局は、
前記測定報告の各々に示される、前記ＬＳＡ基地局によって送信される参照信号の受信信号強度に少なくとも部分的に基づいて、前記ＲＳＵＥを選択するように構成されている、
請求項９に記載のシステム。
【請求項１１】
前記リソース情報は、前記ＬＳＡスケジューリング情報である、
請求項１に記載のシステム。
【請求項１２】
前記ＬＳＡ基地局は、
前記ＳＳＡ基地局から送信されるＳＳＡ下りリンク信号による１又は複数のＬＵＥにおける干渉の可能性を判定し、
１又は複数のＬＵＥから送信される上りリンク信号からの前記ＳＳＡ基地局における干渉の可能性を判定し、
前記１又は複数のＬＵＥ又は前記ＳＳＡ基地局における干渉の可能性があると判定された場合に限り、前記ＬＳＡスケジューリング情報を送信するように構成されている、
請求項１に記載のシステム。
【請求項１３】
前記ＬＳＡ基地局は、前記ＬＵＥにより提供される測定報告に基づいて、１又は複数のＬＵＥにおける干渉の可能性及び前記ＳＳＡ基地局における干渉の可能性を判定するように構成されている、
請求項１２に記載のシステム。
【請求項１４】
前記ＬＳＡ基地局は、１又は複数のＨＡＲＱ再送、１又は複数の無線リンク障害、１又は複数の失敗したハンドオーバのうち、少なくとも１つに基づいて、１又は複数のＬＵＥにおける干渉の可能性及び前記ＳＳＡ基地局における干渉の可能性を判定するように構成されている、
請求項１２に記載のシステム。
【請求項１５】
前記ＬＳＡ基地局は、前記ＬＳＡスケジューリング情報を、システム情報ブロック（ＳＩＢ）伝送と、マルチキャストブロードキャスト単一周波数ネットワーク（ＭＢＳＦＮ）伝送と、の少なくとも１つで送信するように構成されている、
請求項１に記載のシステム。
【請求項１６】
ＬＳＡ内で無線サービスを提供するＬＳＡ基地局の広サービスエリア（ＬＳＡ）内のＳＳＡ内のＳＳＡユーザ装置（ＳＵＥ）に無線サービスを提供する狭サービスエリア（ＳＳＡ）基地局であって、
前記ＳＵＥの中継ＳＵＥ（ＲＳＵＥ）に対して、前記ＲＳＵＥが前記ＬＳＡ基地局からＬＳＡスケジューリング情報を受信するよう指示する指示を送信するように構成された送信機と、
前記ＬＳＡスケジューリング情報に基づく、前記ＬＳＡ基地局により使用されることになる通信リソースを識別するＬＳＡリソース情報を、前記ＲＳＵＥから受信するように構成された受信機と、
前記ＬＳＡリソース情報に基づいて前記ＳＵＥに通信リソースを割り当てるように構成されたプロセッサと、を含む、
ＳＳＡ基地局。
【請求項１７】
前記受信機は、複数の前記ＳＵＥの各々から測定報告を受信するように構成されており、
前記各測定報告は、前記ＬＳＡ基地局によって送信される参照信号の受信信号強度を示し、
前記プロセッサは、前記測定報告に基づいて前記ＲＳＵＥを選択するように構成されている、
請求項１６に記載のＳＳＡ基地局。
【請求項１８】
前記通信リソースは、時間・周波数ブロックを形成するように時分割された複数の周波数サブキャリアを含む、
請求項１６に記載のＳＳＡ基地局。
【請求項１９】
前記プロセッサは、前記ＬＳＡスケジューリング情報により示される前記時間・周波数ブロックを前記ＳＵＥにスケジューリングしないように構成されている、
請求項１８に記載のＳＳＡ基地局。
【請求項２０】
前記プロセッサは、前記ＳＵＥに対して通信リソースをスケジューリングする場合に、前記ＬＳＡスケジューリング情報により示される前記時間・周波数ブロックに、前記ＳＳＡ基地局にとって低い割当優先度を適用するように構成されている、
請求項１８に記載のＳＳＡ基地局。
【請求項２１】
低サービス品質（ＱｏＳ）ＳＵＥは、他のＳＵＥに比べて低いＱｏＳを要求し、
前記ＳＳＡ基地局は、前記ＬＳＡスケジューリング情報により示される前記時間・周波数ブロックを前記低ＱｏＳ  ＳＵＥにスケジューリングするように構成されている、
請求項１８に記載のＳＳＡ基地局。
【請求項２２】
近接ＳＵＥは、他のＳＵＥに比べて前記ＳＳＡ基地局に近く、
前記ＳＳＡ基地局は、前記ＬＳＡスケジューリング情報により示される前記時間・周波数ブロックを前記近接ＳＵＥにスケジューリングするように構成されている、
請求項１８に記載のＳＳＡ基地局。
【請求項２３】
前記通信リソースは、下りリンク通信リソース及び上りリンク通信リソースのうち少なくとも１つである、
請求項１６に記載のＳＳＡ基地局。
【請求項２４】
前記ＬＳＡ基地局及び前記ＳＳＡ基地局は、３ＧＰＰ  ＬＴＥ通信仕様に従った信号を送信及び受信する、
請求項１６に記載のＳＳＡ基地局。
【請求項２５】
前記ＬＳＡリソース情報は、ＬＳＡスケジューリング情報である、
請求項１６に記載のＳＳＡ基地局。
【請求項２６】
自移動無線通信装置が広サービスエリア（ＬＳＡ）基地局から前記ＬＳＡ基地局により使用されることになる無線通信リソースを識別するＬＳＡスケジューリング情報を受信するよう指示する指示を、狭サービスエリア（ＳＳＡ）基地局から受信し、
前記指示に応じて前記ＬＳＡスケジューリング情報を前記ＬＳＡ基地局から受信するように構成された受信機と、
前記ＳＳＡ基地局に対して、前記ＬＳＡスケジューリング情報に基づくＬＳＡリソース情報を送信するように構成された送信機と、を含み、
前記ＳＳＡ基地局は、前記ＬＳＡ基地局のＬＳＡサービスエリアよりも狭く、少なくとも部分的に前記ＬＳＡサービスエリアと重複するＳＳＡサービスエリア内で無線通信サービスを提供する、
移動無線通信装置。
【請求項２７】
前記ＬＳＡスケジューリング情報は、システム情報ブロック（ＳＩＢ）内で受信される、
請求項２６に記載の移動無線通信装置。
【請求項２８】
前記ＬＳＡスケジューリング情報は、マルチキャストブロードキャスト単一周波数ネットワーク（ＭＢＳＦＮ）サブフレーム内で受信される、
請求項２６に記載の移動無線通信装置。
【発明の詳細な説明】
【関連出願】
【０００１】
本願は、２０１２年１０月８日に出願され、「事前のスケジューリング情報を使用する二層ネットワークでの干渉を回避する方法」と題された米国仮出願第６１／７１０，９７８号（整理番号ＴＰＲＯ  ００２２４  ＵＳ）の優先権の利益を主張し、その全体が参照により本明細書に組み込まれている。
【背景技術】
【０００２】
本発明は、概ね無線通信システムに関し、より具体的には、重複サービスエリアを有する無線通信システムにおける通信リソースの管理に関する。
【０００３】
セルラ通信システムにおける基地局は、各基地局が、関連のあるセル内で無線通信装置と信号を交換する地理的セル内で無線通信装置に対して、通信サービスを提供する。各セルのサイズ及び形状、すなわち、基地局のカバレッジエリアは、いくつかの要因によって決定され、少なくとも一部は、基地局の設計パラメータに基づいている。相対的に広い地理的エリア内で多数の装置にサービスを提供する大型マクロセルに加えて、一部のセルラ通信システムは、次第に、より小型のセルを用いて、効率を向上させ、カバレッジの改善、サービスの質の改善及び追加的サービスの提供を行うようになっている。より小型のセルとしては、一般にマイクロセル、ピコセル、及びフェムトセルと呼ばれる種々のサイズが挙げられる。マイクロセル及びピコセルは、付加的なセキュリティ、エリア内での更に大きいユーザ容量、付加的サービス機能、及び／又は改善されたサービスの質を提供するために、オフィスビル、ショッピングセンター及び市街地エリアで実装される場合が多い。フェムトセルは、相対的に地理的エリアがより狭く、一般的に、住居又は小規模事務所の所在地で実装される。一般的なセルラバックホールリソースは、これらの場所では使用できない場合もあることから、フェムトセルは、ＤＳＬ又はケーブルモデムを介してセルラインフラストラクチャーに接続される場合もある。フェムトセルは、セルラネットワークの一部であり、したがって、マクロセルで使用する技術と同じ技術を用いて、無線装置と通信を行う。同じ周波数チャネルで動作する種々の基地局及び無線通信装置の近接では、干渉が生じる場合が多い。干渉は、図１Ａに示すように上りリンクチャネル、又は図１Ｂに示すように下りリンクチャネル内で発生する場合がある。図１Ａ及び図１Ｂでは、広サービスエリア（ＬＳＡ）通信ノード（基地局）１０は、ＬＳＡ１２内で無線サービスを提供し、狭サービスエリア（ＳＳＡ）通信ノード（基地局）１４は、ＳＳＡ１６内で無線サービスを提供する。ＳＳＡ１６及びＬＳＡ１２は、少なくとも一部が重複する。図１Ａ及び図１Ｂでは、ＳＳＡ１６はＬＳＡ１２内にある。通信ノード１０、１４は、それぞれのサービエリア内でユーザ装置（ＵＥ）と呼ばれることがある移動無線通信装置１８、２０に無線サービスを提供する。ＳＳＡ  ＵＥ（ＳＵＥ）１８は、ＳＳＡ通信ノード１４からサービスを受信し、ＬＳＡ  ＵＥ（ＬＵＥ）２０は、ＬＳＡ通信ノード１０からサービスを受信する。図１Ａに示すように、ＬＵＥ２０は、上りリンク信号２２をＬＳＡ通信ノード１０に送信し、ＳＵＥは、上りリンク信号２４をＳＳＡ通信ノード１４に送信する。ＬＵＥ２０及びＳＵＥ１８が上りリンク信号２２、２４を同時に送信するために同じ周波数を使用すると、ＬＳＡ上りリンク信号２２は、ＳＳＡ上りリンク信号２４との干渉によってＳＳＡ通信ノード１４で干渉を引き起こす。更に、干渉はまた、ＳＵＥ１８によって送信される上りリンク信号２４が原因で、ＬＳＡ通信ノード１０でも発生する場合がある。図１Ｂに示すように、ＬＳＡ通信ノードは、下りリンク信号２６をＬＵＥ２０に送信し、ＳＳＡ通信ノードは、下りリンク信号２８をＳＵＥ１８に送信する。ＬＳＡ及びＳＳＡ通信ノードが��りリンク信号を同時に送信するために、同一の周波数を使用するとき、ＳＳＡ下りリンク信号は、ＬＳＡ下りリンク信号との干渉が原因で、ＬＵＥで干渉を引き起こす。干渉はまた、ＳＵＥでのＬＳＡ下りリンク信号２６からも生じる場合がある。ＳＳＡ通信ノード１４付近でＬＵＥ２０が動作する場合、強力な上りリンク信号及び下りリンク信号による干渉は、特に有意である。そして、ＬＳＡ通信ノード１０とＳＳＡ通信ノード１４との間に協調は存在しない。
【発明の概要】
【０００４】
少なくとも、第１の地理的サービスエリアを有する第１の基地局と、前記第１の地理的サービスエリアと少なくとも部分的に重複する第２の地理的サービスエリアを有する第２の基地局と、を含む通信システムにおいて、前記第２の基地局からサービスを受ける中継移動無線通信装置は、リソース情報を受信して前記第２の基地局に転送する。前記リソース情報は、前記第１の基地局により送信されるスケジューリング情報に基づいており、前記第１の基地局との無線通信に使用されることになる通信リソースを識別する。少なくとも前記リソース情報に基づいて、前記第２の基地局は、周波数内干渉が、少なくとも低減され、状況次第で最小化又は除去されるように、前記第２の基地局からサービスを受ける移動無線通信装置に通信リソースをスケジューリングする。
【図面の簡単な説明】
【０００５】
【図１Ａ】広サービスエリア（ＬＳＡ）内に狭サービスエリア（ＳＳＡ）を有し、ＳＳＡ内でサービスを提供するＳＳＡ基地局及びＬＳＡ内でサービスを提供するＬＳＡ基地局で干渉が発生する通信システムの図である。
【０００６】
【図１Ｂ】広サービスエリア（ＬＳＡ）内に狭サービスエリア（ＳＳＡ）を有し、ＬＳＡ内の無線通信装置及びＳＳＡ内の無線通信装置で干渉が発生する通信システムの図である。
【０００７】
【図２】移動無線通信装置（ＲＳＵＥ）が、第１の基地局（ＬＳＡ基地局）からＬＳＡスケジューリング情報を受信し、ＬＳＡリソース情報を伝達するリソース情報を第２の基地局（ＳＳＡ基地局）に送信する通信システムの図である。
【０００８】
【図３Ａ】ＬＳＡスケジューリング情報に基づくＳＵＥへの下りリンク通信リソースのスケジューリングにより、ＬＵＥ及び／又はＳＵＥでの干渉が少なくとも減少する通信システムの図である。
【０００９】
【図３Ｂ】ＬＳＡスケジューリング情報に基づくＳＵＥへの上りリンク通信リソースのスケジューリングにより、ＳＳＡ基地局及び／又はＬＳＡ基地局での干渉が少なくとも減少する通信システムの図である。
【００１０】
【図４】通信システム内における干渉の管理に関する少なくとも一部の通信を示すメッセージ図である。
【００１１】
【図５】ＬＳＡスケジューリング情報がＬＳＡ基地局によって送信される、ＬＳＡ基地局、ＬＵＥ、ＲＳＵＥ、及びＳＵＥの送信を示す送信タイミング図である。
【００１２】
【図６】ＬＳＡスケジューリング情報がＬＳＡ基地局によって送信される、ＬＳＡ基地局、ＲＳＵＥ、及びＳＳＡ基地局の送信を示す送信タイミング図である。
【００１３】
【図７】ＬＳＡ基地局及びＳＳＡ基地局としての使用に好適な、受信機、プロセッサ、及び送信機を備えた基地局のブロック図である。
【００１４】
【図８】ＬＵＥ及びＳＵＥとしての使用に好適な、受信機、プロセッサ、及び送信機を備えた移動無線通信装置のブロック図である。
【００１５】
【図９】通信リソースを管理するＬＳＡネットワークにおける方法のフローチャートである。
【００１６】
【図１０】中継無線通信装置（ＲＳＵＥ）にて実施する方法のフローチャートである。
【００１７】
【図１１】通信リソースを管理するＳＳＡネットワークにおける方法のフローチャートである。
【発明を実施するための形態】
【００１８】
本明細書で検討される通信リソース管理技術は、少なくとも一部が重複する地理的サービスエリアを有する少なくとも２つの基地局を含む通信システム内で適用することができる。以下で検討する例としては、通信システムは、ＬＳＡ地理的サービスエリアを有する広サービスエリア（ＬＳＡ）基地局と、ＬＳＡ地理的サービスエリアより狭いＳＳＡ地理的サービスエリアを有する狭サービスエリア（ＳＳＡ）基地局と、を含む。ＬＳＡ基地局は、ＬＳＡ地理的サービスエリア内のＬＳＡ  ＵＥ（ＬＵＥ）と呼ばれる移動無線通信装置に無線通信サービスを提供する。ＳＳＡ基地局は、ＳＳＡ地理的サービスエリア内のＳＳＡ  ＵＥ（ＳＵＥ）と呼ばれる移動無線通信装置に無線通信サービスを提供する。ＬＳＡ基地局は、ＬＳＡ基地局との通信を行うために使用されることになる通信リソースを識別するＬＳＡスケジューリング情報を送信する。中継ＳＵＥ（ＲＳＵＥ）は、ＬＳＡスケジューリング情報を受信し、ＬＳＡスケジューリング情報を示す情報をＳＳＡ基地局に転送する。この情報に基づき、ＳＳＡ基地局は、ＳＵＥに対して、通信リソースのスケジューリングを行う。
【００１９】
図２は、移動無線通信装置（ＲＳＵＥ）２０２が第１の基地局（ＬＳＡ基地局２０６）からＬＳＡスケジューリング情報２０４を受信し、ＬＳＡリソース情報２０４を伝達するリソース情報２０８を第２の基地局（ＳＳＡ基地局）２１０に送信する通信システム２００を示す。場合によっては、リソース情報２０８は、ＬＳＡスケジューリング情報２０４と同じであり、ＲＳＵＥ２０２は、ＬＳＡスケジューリング情報２０４を第２の基地局（ＳＳＡ基地局）２１０に転送する。スケジューリング情報２０４により、ＬＳＡ基地局２０６によって使用されることになる通信リソースを識別し、通信リソースは、上りリンク通信リソース、下りリンク通信リソースのいずれか又はその両方を含んでもよい。スケジューリング情報２０４に基づき、ＳＳＡ基地局２１０は、ＳＳＡ基地局２１０から無線サービスを受信する無線通信装置（ＳＵＥ）２０２、２１２に対する通信リソースのスケジューリングを行う。ＳＳＡ基地局２１０は、リソース情報２０８（ＬＳＡスケジューリング情報２０４）を使用し、上りリンク及び／又は下りリンクリソースを割当て、干渉を減少させる。干渉は、第２の基地局２１０での上りリンクでの干渉、第１の基地局（ＬＳＡ基地局）２０６からサービスを受信する無線通信装置（ＬＵＥ）２１４での下りリンクでの干渉、第１の基地局２０６の上りリンクでの干渉及び／又は無線通信装置（ＳＵＥ）２１２での干渉を含む。
【００２０】
多数の技術及び通信規格のいずれかに従って、通信システム２００が実施されてもよい。しかし、以下で検討される例では、システム２００は直交周波数分割多重（ＯＦＤＭ）規格に従って、動作する。ＯＦＤＭ系システムでは、物理チャネルは、特定の周波数・時間リソースを割当てることによって定義することができる。これらのリソースの粒度は、システムの仕様及び設計に依存する。特定の実施では、各基地局及び／又は無線通信装置の周波数、タイミング及び符号化パラメータを更に特定してもよい。複数のサイズで、かつ重複サービスエリアを含むシステムの例としては、３ＧＰＰロング・ターム・エボリューション（ＬＴＥ）通信仕様に従って動作するシステム及び１つ以上のマクロセル、マイクロセル、ピコセル、及びフェムトセルを含むシステムが挙げられる。このようなシステムでは、基地局は、通常は、ｅＮｏｄｅＢと呼ばれる。更に、広サービスエリア（ＬＳＡ）ｅＮｏｄｅＢ（マクロｅＮｏｄｅＢなど）は、より狭いサービスエリア（ＳＳＡ）ｅＮｏｄｅＢ（マイクロｅＮｏｄｅＢ、ピコｅＮｏｄｅＢ、又はフェムトｅＮｏｄｅＢなど）よりも広いサービスエリア１２を有する。本明細書で検討されるとおり、広サービスエリア（ＬＳＡ）基地局２０６は、狭サービスエリア（ＳＳＡ）基地局２１０よりも広い地理的サービスエリア１２内で通信サービスを提供する任意のタイプの基地局、ｅＮｏｄｅＢ又は送受信機基地局であり、ＳＳＡ基地局は、より狭い地理的サービスエリア１６内でサービスを提供する任意のタイプの基地局、ｅＮｏｄｅＢ又は送受信機基地局である。
【００２１】
基地局２０６、２１０は、無線通信装置（ＵＥ）２０２、２１２、２１４と無線信号を交換する無線送受信機を含む。基地局及び無線通信装置（ＵＥ）からの送信は、送信のシグナリング、プロトコル、及びパラメータを定義する通信仕様により定められる。通信仕様は、通信用の厳格なルールを提供してもよく、具体的な実施は異なるが通信仕様には従っている一般要件を提供してもよい。本明細書における検討は、３ＧＰＰロング・ターム・エボリューション（ＬＴＥ）の通信仕様に関するが、状況によっては、他の通信仕様が使用されてもよい。通信仕様では、少なくとも、上りリンク及び下りリンク送信用のデータチャネル及び制御チャネルが定義され、かつ少なくとも、基地局から無線通信装置への物理下りリンク制御チャネル用の幾つかのタイミング及び周波数パラメータが特定される。制御チャネルとしては、論理ブロードキャスト制御チャネル及び装置固有の論理制御チャネル（図２には図示せず）が挙げられる。
【００２２】
通信システム２００を参照して説明されるブロックの様々な機能及び動作は、任意の数の装置、回路、及び／又は要素において並びに種々の実行可能コード（ソフトウェア及びファームウェアなど）の形態で実施されてもよい。図示する２つ以上の機能ブロックが１つの装置に統合されてもよく、任意の１つの装置において行われるように記載される機能は、複数の装置に亘って実施されてもよい。
【００２３】
システム２００は、少なくとも広サービスエリア（ＬＳＡ）基地局２０６と、狭サービスエリア（ＳＳＡ）基地局２１０と、２つの無線通信装置２０２、２１４と、を含む。場合によっては、システム２００は、他の無線通信装置２１２を含んでもよい。例えば、スケジューリング情報を転送する無線通信装置（ＲＳＵＥ）２０２は、ＳＳＡ基地局２１０と通信するために通信リソースが割当てられている無線通信装置（ＳＵＥ）２１２と異なってもよい。ほとんどの状況では、幾つかのＬＳＡ基地局は、ネットワーク基盤を介してネットワークコントローラ（図示せず）に接続され、複数の無線通信装置に無線通信サービスを提供する。典型的には、ＳＳＡ基地局２１０は、同一コントローラには接続せず、ＬＳＡ基地局２０６と通信しない。しかし、本明細書で検討される技術はまた、ＳＳＡ基地局２１０がＬＳＡ基地局２０６及び／又はＬＳＡネットワークに接続されるが、ＳＳＡ基地局への通信リンクの遅延時間が１ミリ秒を超える場合、有利となり得る。
【００２４】
移動無線通信装置２０２、２１２、２１４は、モバイル装置、無線装置、無線通信装置、及びモバイル無線装置、ユーザ装置（ＵＥ）、ＵＥ装置、並びにそれ以外の名称で称される場合がある。無線通信装置２０２、２１２、２１４は、基地局と通信するための電子装置及びコードを含み、また、携帯電話、パーソナルデジタルアシスタント（ＰＤＡ）、無線モデムカード、無線モデム、並びにラップトップ型コンピュータなどの装置のほか他の装置を含む。本明細書で検討される例では、ＬＳＡ内でＬＳＡ基地局から無線サービスを受信する無線通信装置は、ＬＳＡ  ＵＥ（ＬＵＥ）２１４と称され、ＳＳＡ内でＳＳＡ基地局からサービスを受信する無線通信装置は、ＳＳＡ  ＵＥ（ＳＵＥ）２０２、２１２と称される。ＬＳＡスケジューリング情報２０４をＳＳＡ基地局に転送する無線通信装置２０２は、中継ＳＵＥ（ＲＳＵＥ）２０２と称される。
【００２５】
ＲＳＵＥ２０２は、ＬＳＡ下りリンク信号２１６におけるＬＳＡスケジューリング情報２０４をＬＳＡ基地局２０６から受信する。様々な技術を使用して、ＬＳＡスケジューリング情報２０４をＲＳＵＥ２０２に送信することができる。２つの例としては、システム情報ブロック（ＳＩＢ）メッセージ内でＬＳＡスケジューリング情報２０４をブロードキャストすること、及びマルチキャスト／ブロードキャスト単一周波数ネットワーク（ＭＢＳＦＮ）サブフレーム内でスケジューリング情報２０４をブロードキャストすることが挙げられる。
【００２６】
ＲＳＵＥ２０２は、ＬＳＡスケジューリング情報又はＬＳＡスケジューリング情報２０４を示すリソース情報２０８を上りリンク信号２１８でＳＳＡ基地局２１０に送信する。本明細書の例では、ＲＳＵＥは、リソース情報２０８の送信用に上りリンクリソースを要求し、ＳＳＡ基地局は、情報の送信用に物理上りリンク共有チャネル（ＰＵＳＣＨ）リソースを割当てる。また、例えば、リソースの要求には、その要求が、ＬＳＡリソース情報のための要求であることを示すことを含む。このような点で、例えば、ＬＳＡリソース情報がすでに別のＲＳＵＥから受信されている場合、ＳＳＡ基地局は、選択的に要求を拒否してもよい。いくつかの実施では、ＲＳＵＥは、ＬＳＡリソース情報が利用可能であることを示すだけでもよく、ＳＳＡ基地局は、必要に応じて、情報を送信するための上りリンクリソースを割当て、ＲＳＵＥにその情報を送信するように指示する。状況によっては、ＬＳＡリソース情報の送信を管理するためのその他の技術が使用されてもよい。
【００２７】
ＬＳＡスケジューリング情報２０４とは、時間・周波数リソースなどの通信リソースを識別する任意のデータ又は情報であり、ＬＳＡ通信に使用されるものである。一つの例では、干渉を引き起こす場合がある又は干渉を経験する場合があるＬＵＥによって使用されるＬＳＡリソースのみが、ＬＳＡスケジューリング情報２０４によって識別される。例えば、特定のＬＵＥからのＬＵＥ上りリンク送信がＳＳＡ基地局で干渉を引き起こすことが予想される場合、そのＬＵＥにスケジューリングされた上りリンクＬＳＡ通信リソースが、ＬＳＡスケジューリング情報において報告される。同様に、ＳＳＡ基地局からの下りリンク送信がＬＵＥで干渉を引き起こす可能性がある場合、下りリンクリソースは、ＬＳＡスケジューリング情報において識別される。本明細書に記載され、以下で更に詳細に検討される例では、干渉は、従来の報告技術に従って、ＵＥによって提供されるＲＳＲＰ（参照信号の受信電力）及びＲＳＲＱ（参照信号の受信品質）などの報告された信号測定に基づいて予想される。その他の技術を使用して、干渉の可能性を評価するために使用される測定報告の送信がトリガされてもよいが、測定報告の送信は、干渉の検出を最適化したイベントトリガに基づく。状況によっては、干渉の可能性は、他の情報に基づいて単独で、又は測定報告とともに、評価されてもよい。以下で検討するとおり、例えば、過剰数のハイブリッド自動反復要求（ＨＡＲＱ）の再送、無線リンク障害又はハンドオーバ障害を使用して、干渉の発生及び干渉が継続する可能性を判定してもよい。
【００２８】
ＳＳＡ基地局２１０は、ＬＳＡスケジューリング情報２０８に基づくリソース情報２０８を使用して、ＳＵＥに対して、通信リソースのスケジューリング（割当て）を行い、干渉を最小限に抑える。検討されたように、ＬＵＥ２１４、ＳＵＥ２０２、２１２、ＬＳＡ基地局２０６、かつ／又はＳＳＡ基地局２１０で干渉の可能性がある。場合によっては、ＳＳＡ基地局２１０は、ＬＳＡスケジューリング情報２０４において識別される通信リソースを任意のＳＵＥに割当てることはできない。しかし、その他の場合には、ＳＳＡ基地局２１０は、識別された通信リソースを干渉に耐性のある可能性がある又は干渉を引き起こす可能性のないＳＵＥに割当てることができる。例えば、ＬＳＡスケジューリング情報２０４がＬＳＡ上りリンク通信に使用されることになる時間・周波数リソースを識別する場合、ＳＳＡ基地局２１０は、同じ時間・周波数リソースを、低いサービスの品質（ＱｏＳ）を要求するか、又はＳＳＡ基地局２１０に非常に近いと判定される、ＳＵＥに割当てることができる。更に、ＬＳＡスケジューリング情報２０４がＬＳＡ下りリンク通信に使用されることとなる時間・周波数リソースを識別する場合、ＳＳＡ基地局２１０は、識別された時間・周波数リソースを、ＳＳＡ基地局２１０に非常に近いと判定され、低電力レベルで送信するＳＵＥに割当てることができる。したがって、ＳＳＡ基地局は、識別されたＬＳＡ通信リソースをいくつかの要因に基づいてスケジューリングすることができる。
【００２９】
図３Ａ及び図３Ｂは、ＳＳＡ基地局２１０が、ＬＳＡスケジューリング情報２０４（又はリソース情報２０８）を使用して、通信リソースをＳＵＥ２０２、２１２に対してスケジューリングするとき、干渉の低減を示す通信システム２００を示す。
【００３０】
図３Ａ及び図３Ｂは、第１の基地局２０６及び第２の基地局２１０によって提供される例示的地理的サービスエリアの関係を示すものである。第１の基地局２０６では、第１の基地局の地理的サービスエリア１２内で無線通信装置に無線サービスを提供することができ、第２の基地局２１０は、第２の基地局の地理的サービスエリア１６内で無線通信装置に無線サービスを提供することができる。したがって、地理的サービスエリアは、基地局のカバレッジエリアである。第２の基地局地理的サービスエリア１６及び第１の基地局地理的サービスエリア１２は、多数の形状、サイズ及び構造のうち任意のものを有していてもよい。サービスエリアを示す楕円形は、概して、サービスエリア間の一般的な関係を示すものであり、サービスエリアの実際の形状又はサイズを必ずしも尺度通りに示していない。更に、サービスエリアは、サービスを利用できないカバレッジホールを含有し得る。明瞭性及び簡潔性のために、こうした特徴は図示されない。図３Ａ及び３Ｂでは、第２の基地局２１０のサービスエリア１６は、完全に第１の基地局２０６によって提供されるサービスエリア１２の範囲内である。通信システム内の一部の基地局により、マイクロセル、ピコセル及びフェムトセル構造などのより狭いサービス領域が提供される場合、このようなサービスエリアの関係が発生する場合が多い。例えば、フェムトセルの配置としては、フェムトセルが、その居住地に住む装置ユーザによって使用される装置のためのサービスエリアである居住地の所在するフェムトセル基地局（第２の基地局２１０）が挙げられる。無線通信装置がサービスエリア１２外であるとき、サービスはより広いマクロセル（例えば、第１の基地局２０６）によって提供される。
【００３１】
図３Ａでは、ＬＳＡスケジューリング情報に基づくＳＵＥへの下りリンク通信リソースのスケジューリングにより、ＬＵＥでの干渉が少なくとも減少するか又は最小化する、通信システム２００を図示する。図３Ａの例では、ＬＳＡ基地局２０６が、ＬＵＥ２１４によって提供される測定報告に基づいて、ＬＵＥ２１４での干渉の可能性を判定する。その結果、ＬＳＡスケジューリング情報２０４が、ＬＳＡ基地局２０６によって送信され、ＲＳＵＥによってＳＳＡ基地局２１０に伝達され、ＬＳＡスケジューリング情報２０４は、ＬＵＥ２１０への送信に使用されることになる第１の下りリンク通信リソース（Ｒ１）３０１を識別する。その情報に基づき、ＳＳＡ基地局が、ＳＵＥ２１２又はＲＳＵＥ２０２との通信のために、第１の下りリンク通信リソース（Ｒ１）３０１のスケジューリングを行わない。その代わりに、ＳＳＡ基地局が第２の下りリンク通信リソース（Ｒ２）３０２のスケジューリングを行う。その結果、ＳＳＡ下りリンク送信３０４がＬＵＥ２１４で受信するＬＳＡ下りリンク送信３０６と干渉することはない。上記のように、ＳＳＡ基地局２１０は、第１の下りリンク通信リソース（Ｒ１）３０１を、ＳＳＡ下りリンク通信がＬＵＥ２１４に干渉を引き起こす可能性がないと判定するか、又は、特定のＳＵＥによって、干渉に耐えることができる別のＳＵＥ（図示せず）に割当ててもよい。
【００３２】
図３Ｂでは、ＬＳＡスケジューリング情報２０４に基づくＳＵＥへの上りリンク通信リソースのスケジューリングにより、ＳＳＡ基地局２１０での干渉が少なくとも減少する通信システム２００を図示する。図３Ｂの例では、ＬＳＡ基地局２０６が、ＬＵＥ２１４によって提供される測定報告に基づいて、ＳＳＡ２１０での干渉の可能性を判定する。ＬＵＥ測定報告において、ＳＳＡ基地局によって送信される十分に高い下りリンク信号電力レベルが示されるとき、ＬＳＡ基地局は、ＬＵＥ上りリンク信号が少なくともＳＵＥから送信される上りリンク信号と干渉する可能性があると判定する。ＬＳＡスケジューリング情報２０４は、ＬＳＡ基地局２０６によって送信され、ＲＳＵＥ２０２によってＳＳＡ基地局２１０に伝達され、ＬＳＡスケジューリング情報２０８は、ＬＵＥ２１０による送信のために使用されることになる第１の上りリンク通信リソース（Ｒ１）３１０を識別する。その情報に基づき、ＳＳＡ基地局２１０が、ＳＵＥ２１２又はＲＳＵＥ２０２のいずれかへの通信のために、第１の上りリンク通信リソース（Ｒ１）３１０のスケジューリングを行わない。その代わりに、ＳＳＡ基地局２１０が第２の上りリンク通信リソース（Ｒ２）３１２のスケジューリングを行う。その結果、ＬＵＥ２１０上りリンク送信３１２は、ＳＳＡ基地局２１０で受信されたＳＵＥ上りリンク送信３１４と干渉することはない。上記のように、ＳＳＡ基地局２１０は、第１の上りリンク通信リソース（Ｒ１）３１０を、ＬＵＥ送信がＳＵＥ上りリンク送信との干渉を引き起こす可能性がないと判定する別のＳＵＥ（図示せず）に割当ててもよい。例えば、これは、ＳＵＥがＳＳＡ基地局と非常に近い場合に起こり得る。
【００３３】
図４は、通信システム２００内における干渉の管理に関する少なくとも一部の通信を示すメッセージ図である。
【００３４】
イベント４０２では、ＬＵＥは、ＳＳＡを含む隣接セルによって送信される参照信号を測定する。例としては、ＬＵＥは、ハンドオーバ候補セルを識別するための無線リソース管理（ＲＲＭ）の既知の技術によって、ＲＳＲＰ（参照信号受信電力）及び／又はＲＳＲＱ（参照信号受信品質）を測定する。
【００３５】
イベント４０４では、ＳＵＥは、ＬＳＡ基地局によって送信される参照信号を測定する。例としては、ＳＵＥは、既知の技術によって、ＲＳＲＰ及び／又はＲＳＰＱを測定する。
【００３６】
送信４０６では、ＬＵＥは、ＬＳＡ基地局に対して、ＳＳＡ参照信号の測定結果を報告する。状況によっては、測定報告を送信するために従来のトリガを使用してもよく、報告スキームへの変更により、効率及び頑健性を改善し得る。当技術分野で周知のように、ＬＴＥにおける従来のイベントトリガは、ネットワークによって管理され、イベントＡ１（サービングがしきい値よりも良好となる）、イベントＡ２（サービングがしきい値よりも劣る）、イベントＡ３（隣接がＰセルよりもオフセット分良好となる）、イベントＡ４（隣接がしきい値よりもオフセット分良好となる）、イベントＡ５（Ｐセルがしきい値１よりもオフセット分劣り、かつ隣接がしきい値２よりもオフセット分良好となる）、及びイベントＡ６（隣接がＳセルよりもオフセット分良好となる）を含む。測定報告の送信を引き起こす従来のトリガは、通常は、ハンドオーバを管理するために設定される。ＬＳＡ基地局向けには、ＬＵＥを構成し、定期的に報告を実施するような従来の方法が存在するが、自己最適化ネットワーク（ＳＯＮ）又は新たな基地局を設置するときを除いて、通常は使用されない。従って、これらの報告手順に関連するしきい値は、干渉を識別するための最適のしきい値とは異なり得る。本明細書で記載される例では、イベントＡ７を使用して、干渉を管理するための測定報告の送信をトリガする。イベントＡ７のトリガのしきい値を選択して、干渉の識別及び管理を最適化する。一部の実施では、測定報告を送信するためのイベントトリガは、従来のイベントトリガであってもよい。これらの状況では、トリガのしきい値を変更して、干渉の識別を改善してもよい。従来のイベントトリガを使用するが、測定報告を送信するＬＵＥも、ＳＳＡ基地局に対するハンドオーバの候補である可能性が高い。ＬＵＥをＳＳＡに移動させると、干渉の可能性が回避される。その結果、ＬＵＥがＳＳＡ基地局へのハンドオーバ手順を行わない場合に限り、図４を参照として記載された手順を継続する。
【００３７】
送信４０８では、ＳＵＥは、ＳＳＡ基地局に対して、ＬＳＡ参照信号の測定結果を報告する。測定報告は、既知の技術によって、ＵＥから上りリンクチャネル内で送信される。従来のイベントトリガを使用して、測定報告の送信をトリガしてもよいが、イベントＡ７トリガは、干渉を管理する測定報告をトリガするために、ＳＵＥにより使用される。利用可能な場合、ＳＵＥにてＬＳＡ基地局から受信された信号の品質が、ＳＵＥがスケジューリング情報を受信及びデコードするのに十分である場合に報告が送信されるように、イベントＡ７トリガのしきい値が選択される。
【００３８】
イベント４１０では、ＬＳＡ基地局が干渉の可能性を判定する。例では、ＬＳＡ基地局は、ＬＵＥによって提供される測定報告を評価し、可能性のある干渉レベルを判定する。ＬＳＡ基地局は、参照信号の送信電力及び報告された測定結果に基づいて、ＳＳＡ基地局からＬＵＥへのパスロスを判定する。パスロス情報をＬＵＥから送信される上りリンク信号の既知の送信電力レベルに適用することによって、ＬＳＡ基地局は、ＬＵＥによって送信される上りリンク信号のＳＳＡ基地局での少なくともおおよその電力レベルを判定することができる。その結果、ＬＳＡ基地局は、ＳＳＡ基地局で干渉を引き起こす上りリンク信号の可能性を判定することができる。パスロス情報及び下りリンク信号電力に基づいて、ＬＳＡ基地局２０６は、ＳＳＡ基地局２１０から送信されるＳＳＡ下りリンク信号のＬＵＥ２１４での少なくともおおよその電力レベルを判定できる。ＳＳＡ下りリンク信号によるＬＵＥでの干渉レベルは、ＬＵＥでのＳＳＡ下りリンク信号電力及びＬＵＥでの受信されたＬＳＡ下りリンク信号電力から判定される（又は少なくとも概算される）。したがって、ＬＳＡ基地局は、ＳＳＡ基地局及び／又はＬＵＥでの予測される干渉レベルを判定できる。２つ以上のＬＵＥは、干渉を引き起こす又は経験する可能性があるものとして、識別されてもよい。その結果、ＬＳＡスケジューリング情報は、干渉を経験する又は引き起こす可能性のあるすべてのＬＵＥに対して割当てられた、すべての通信リソースを識別する。
【００３９】
状況によっては、ＬＳＡ基地局は、測定報告なしで、又は部分的にのみ測定報告に基づいて、干渉の可能性を識別してもよい。干渉の可能性を識別するために使用することができるパラメータのいくつかの例としては、ＬＵＥが経験するＨＡＲＱ再送の数、無線リンク障害の数、及びハンドオーバ障害の数が挙げられる。これらの数の１つ以上が、対応するしきい値を超える場合、ＬＳＡ基地局は、干渉が原因である可能性があると判定する。特定の干渉評価は、単一のパラメータ又はパラメータの組み合わせに基づいてもよく、この組み合わせは、状況によっては、測定報告を含んでよい。
【００４０】
イベント４１２では、ＬＳＡがＬＵＥ用通信リソースのスケジューリングを行う。既知の技術によれば、ＬＳＡ基地局は、ＬＵＥとＬＳＡ基地局との間で通信を行うための通信リソースのスケジューリングを行う。場合によっては、ＬＳＡ基地局に接続されるスケジューラ又はコントローラは、少なくともいくつかのスケジューリング機能を行う。
【００４１】
送信４１４では、上りリンク及び下りリンクＬＳＡリソースがＬＵＥに割当てられる。通信仕様及び既知の技術によって、ＬＳＡ基地局は、下りリンク制御信号をＬＵＥに送信し、ＬＳＡリソースのスケジューリングを行う。しかし、ＬＵＥが別の基地局へハンドオーバにより移されると、ＬＳＡ基地局によるＬＳＡリソースのスケジューリングは行われない。
【００４２】
イベント４１６では、ＳＳＡ基地局２１０は、ＬＳＡスケジューリング情報を読み込み、転送するべきＳＵＥの識別を行う。例では、ＳＳＡ基地局２１０は、測定報告に基づき、ＬＳＡ基地局から送信される信号を上手く受信する可能性の高い１つ以上のＳＵＥを識別する。状況によっては、ＳＵＥを識別する他の方法が用いられてもよい。ＳＵＥは、通常は、ＳＳＡ基地局（サービング基地局）からの制御チャネルのみをモニターすることから、ＳＳＡ基地局によって選択され、ＬＳＡスケジューリング情報の読み込み及び転送を行う場合、ＳＵＥは、ＬＳＡスケジューリング情報のみをモニターすることになる。あるいは、ＳＵＥ２１０が測定報告４０８を提供する必要がない場合であり、ＳＳＡ基地局がＳＵＥ４１８にスケジューリング情報の読み取りを指示する必要がない場合、ＳＳＡ基地局によって支配されているすべてのＳＵＥのサブセットが、ＬＳＡスケジューリング情報の読み込み及び転送を行うために前もって選択されてもよい。例では、スケジューリング情報が新規ＳＩＢにわたって送信される場合、ＳＵＥは、ＬＳＡ基地局からのＳＩＢの変更通知のみモニターすればよい。このように、ＬＳＡ基地局は、任意の更新又は新規スケジューリング情報を送信しない場合（例えば、ＬＳＡ基地局がいかなる干渉も検出しなかった場合）、ＳＵＥは、すべてのＳＩＢを読み込む必要はない。
【００４３】
送信４１８には、識別されたＳＵＥに対して、ＬＳＡ基地局によって送信されるＬＳＡスケジューリング情報を読み込む指示を含む。例としては、指示４１８は１ビットの下りリンク制御チャネルで送信されるスケジューリング情報表示メッセージである。スケジューリング情報表示メッセージは、ＳＵＥへの専用シグナリングメッセージである。
【００４４】
ＬＳＡスケジューリング情報２０４は、送信４２０で基地局から送信される。特定の実施に応じて、ＬＳＡスケジューリング情報は、任意のデータチャネル又は制御チャネルで送信されてもよい。以下で検討するように、好適な技術の例としては、システム情報ブロック（ＳＩＢ）内でのＬＳＡスケジューリング情報のブロードキャスト、ＭＢＳＦＮ（Ｍｕｌｔｉｍｅｄｉａ  Ｂｒｏａｄｃａｓｔ  ｍｕｌｔｉｃａｓｔ  ｓｅｒｖｉｃｅ  Ｓｉｎｇｌｅ  Ｆｒｅｑｕｅｎｃｙ  Ｎｅｔｗｏｒｋ）送信によるＬＳＡスケジューリング情報のブロードキャストが挙げられる。ＬＳＡスケジューリング情報は、スケジューリング情報が記述しているＬＳＡ送信の前に、好ましくは、時間窓内で送信される。ＬＳＡスケジューリング情報の送信が非常に早期であった場合、移動ＵＥによって条件が変更する場合がある。その一方で、スケジューリング情報をＳＳＡ基地局２１０に中継するにあたって、かつＳＳＡ基地局がその情報を用いてリソースのスケジューリングを行うにあたって、ＲＳＵＥ２０２には十分な時間を提供するべきである。本明細書の例としては、スケジューリング情報は、サブフレームｎ−ｘ内で送信される。ここでは、ｘは４以上である。ＬＵＥは、サブフレームｎでの送信用に、サブフレームｎ−４内でスケジューリングされる。場合によっては、送信４１４及び送信４２０の順番は、逆であってもよい。
【００４５】
測定報告４０６により、干渉の可能性が示されるが、ＳＵＥからの測定報告４０８では干渉を示さない場合もある。例えば、ＳＵＥは比較的ＳＳＡ基地局から遠いが、ＬＵＥがＳＳＡ基地局に非常に近い場合、測定報告４０８がＳＳＡ基地局の上りリンクでの干渉の可能性に関する情報を提供しない。しかし、測定報告４０８には、ＳＵＥがＬＳＡ基地局から送信されたスケジューリング情報を読み込むことができるか否かが示される。したがって、本明細書の例では、ＬＳＡスケジューリング情報の読み込みを指示されたＳＵＥは、定期的にかつ継続してＬＳＡスケジューリング情報の読み込みを行う。ＬＳＡスケジューリング情報は、特定のＳＳＡ基地局との干渉を経験する又は引き起こす可能性のあるすべてのＬＵＥの全通信リソースを識別する。また、ＬＳＡスケジューリング情報により、影響を受ける可能性のあるＳＳＡ基地局を識別することができる。例えば、ＬＳＡスケジューリング情報は、物理セルＩＤ（ＰＣＩ）を含んでいてもよい。場合によっては、ＬＳＡスケジューリング情報はまた、ＳＳＡ基地局のＰＣＩ間で混同する可能性のあるセルＩＤを含んでもよい。
【００４６】
ＲＳＵＥは、ＬＳＡスケジューリング報告送信４２２をＳＳＡ基地局に送信し、ＬＳＡスケジューリング報告４２２には、ＬＳＡ基地局によってブロードキャストされたＬＳＡスケジューリング情報を示す情報が提供される。場合によっては、ＬＳＡスケジューリング報告は、ＬＳＡスケジューリング情報と同一である。その他の状況では、それは、ＬＳＡスケジューリング情報から派生したものであってもよい。例としては、ＬＳＡスケジューリング報告送信４２２は、ＰＵＳＣＨでの送信である。
【００４７】
イベント４２４では、ＳＳＡ基地局が１つ以上のＳＵＥに対して、ＬＳＡスケジューリング報告に基づいて、ＳＳＡ通信リソースのスケジューリングを行う。ＳＳＡ基地局は、ＬＳＡスケジューリング情報内で識別されたリソースの割当てを行わなくてもよく、また、その情報に基づいて割当てを優先させてもよい。例えば、ＳＳＡ基地局は、ＳＳＡ基地局からＳＵＥの距離に基づいて、リソースを割当てることができる。ＳＳＡ基地局は、ＳＵＥによって要求されるＱｏＳ及び他のＳＳＡ基地局からの干渉など、他の要因を評価することができる。
【００４８】
図５は、ＬＳＡスケジューリング情報２０２が送信されるＬＳＡ基地局、ＬＵＥ、ＲＳＵＥ、及びＳＵＥの送信５０２、５０４、５０６、及び５０８の送信図である。ＬＳＡ基地局送信５０２には、通信仕様に従って下りリンク周波数帯域５１７内で送信される複数のサブフレーム５１０、５１２、５１４、５１６が含まれる。ＬＳＡ基地局送信５０２は、本明細書で検討される相違点を除き、ＬＴＥシステム内での従来の送信に類似している。ＬＳＡスケジューリング情報２０２は、ＬＵＥによる上りリンク送信に使用される少なくとも１つの上りリンクリソース及び下りリンク送信のためにＬＳＡ基地局によって使用される下りリンクリソースを識別する。本明細書で検討される例としては、ＬＳＡスケジューリング情報は、ＳＳＡ基地局を識別する情報（ＰＣＩ）と同様に、上りリンクリソース及び下りリンクリソースの両方を識別する。明確に示すために、図５は上りリンクリソースを示し、図６は下りリンクリソースを示す。
【００４９】
既知の技術によって、ＬＳＡ基地局は、上りリンク送信前、サブフレーム内でＬＵＥに対して上りリンク通信リソース５２０のスケジューリングを行う。例としては、スケジューリングされた上りリンク送信が、サブフレームｎ５１６内である場合、ＬＳＡ基地局によって送信されたサブフレームｎ−４  ５１２は、ＬＵＥのスケジューリング情報を含む。したがって、サブフレームｎ−４  ５１２は、サブフレームｎ  ５１６での上りリンク送信のためにＬＵＥによって使用される上りリンク周波数スペクトル５１８内で時間・周波数リソース（ブロック）５２０を識別する。サブフレームｎ−ｘ  ５１０では、ＬＳＡ基地局は、ＬＳＡスケジューリング情報をブロードキャストする。上記のように、ＬＳＡスケジューリング情報を送信する２つの技術の例として、システム情報ブロック（ＳＩＢ）内で情報を送信すること、及びＭＢＳＦＮサブフレーム内で情報を送信することが挙げられる。ＳＩＢを使用するとき、その情報は、ＰＤＳＣＨで送信してもよい。
【００５０】
中継ＳＵＥ（ＲＳＵＥ）は、ＬＳＡスケジューリング情報２０４を受信し、ＬＳＡスケジューリング情報を示すリソース情報２０８を送信する。状況によっては、情報２０８は、ＬＳＡ基地局によって送信されるＬＳＡスケジューリング情報２０４である。その他の状況では、ＳＳＡ基地局がＬＳＡスケジューリング情報を判定できるいくつかの他の制御データであってもよい。例としては、サブフレームｎ−４  ５１２の後及びサブフレームｎ  ５１６の前に、サブフレームｎ−ｙ  ５１４のＰＵＳＣＨにおいて、ＲＳＵＥによって情報が送信される。したがって、例としては、ｙは３〜１である。リソース情報２０８の送信用の好適なサブフレームは、サブフレームｎ−３である。ＳＳＡ基地局は、リソース情報２０８を受信し、少なくとも、ＬＳＡスケジューリング情報によって示される通信リソースが、割当ての優先度が低くなるようにＳＵＥのスケジューリングを行う。言い換えると、ＬＳＡネットワークによって使用される通信リソースは、最後に割当てられる。図５の例としては、ＬＳＡスケジューリング情報によって示される上りリンク通信リソースがＳＵＥに割当てられることはない。したがって、時間・周波数ブロック５３０は、ＳＵＥの送信５０６及び５０８において黒塗りのボックスで示され、時間・周波数ブロック５２０は、斜影線で示され、それらはデータを含有することを示す。時間周波数ブロック５３４は、ＲＳＵＥ送信５０６及びＳＵＥ送信５０８のスケジューリングを行い、これらの２つのＳＵＥは異なる通信リソースを使用する。
【００５１】
図６は、ＬＳＡスケジューリング情報２０２が送信されるＬＳＡ基地局、ＲＳＵＥ及びＳＳＡ基地局の送信５０２、５０６、５５２の送信図５５０である。図６では、ＬＳＡスケジューリング情報２０２は、サブフレームｎ  ５１６内のＬＳＡ基地局によって使用されることとなる下りリンク通信リソース５５４を識別する。図５を参照して検討したように、ＬＳＡスケジューリング情報２０２は、サブフレームｎ−ｘ  ５１０内のＬＳＡ基地局２０６によって送信される。ＲＳＵＥは、対応するリソース情報２０８（又は、ＬＳＡスケジューリング情報２０２）をその後のサブフレーム５１４内で、ＳＳＡ基地局に送信する。ＳＳＡ基地局は、ＬＳＡ基地局によって使用される下りリンクリソース５５４に対応する時間・周波数ブロック５５８が使用されないように、ＳＵＥに対して下りリンク通信リソース５５６のスケジューリングを行う。
【００５２】
図７は、受信機７０２と、プロセッサ７０４と、送信機７０６と、を含む、基地局７００のブロック図である。基地局７００は、ＬＳＡ基地局２０６及びＳＳＡ基地局２１０としての使用に好適である。本明細書での例としては、基地局は、直交周波数多重方式（ＯＦＤＭ）変調を用いる３ＧＰＰ  ＬＴＥ通信仕様に従って動作する。通信リソースは、時分割される複数のサブキャリアを含む。したがって、受信機７０２は、時間・周波数ブロックに割当てられた情報と共に、上りリンク信号を受信する。同様に、送信機７０６は、時間・周波数ブロックに割当てられた情報と共に下りリンク信号を送信する。上記のように、状況次第では、同じ時間・周波数ブロックが複数の装置で使用される場合、干渉が発生する場合がある。
【００５３】
プロセッサ７０４は、送信機７０４及び受信機７０２を制御し、基地局７００の機能を促進する。例としては、プロセッサ７０４もまた、通信リソースのスケジューリングを行う。しかし、スケジューリング機能は、基地局コントローラ、ネットワークコントローラ、及び別のスケジューラなどの主体によって行われてもよい。本明細書で検討されるように、プロセッサ７０４は、いくつかの装置又は構成要素上に実装されてもよい。
【００５４】
図８は、受信機８０２と、プロセッサ８０４と、送信機８０６と、を含む、移動無線通信装置８００のブロック図である。移動無線通信装置８００は、ＬＵＥ２１４及びＳＵＥ２０２、２１２としての使用に好適である。本明細書での例としては、ＵＥは、ＯＦＤＭ変調を用いる３ＧＰＰ  ＬＴＥ通信仕様に従って動作する。通信リソースは、時分割される複数のサブキャリアを含む。したがって、受信機８０２は、時間・周波数ブロックに割当てられた情報と共に下りリンク信号を受信する。同様に、送信機７０６は、時間・周波数ブロックに割当てられた情報と共に上りリンク信号を送信する。プロセッサ８０４は、本明細書で記載されているＵＥの様々な機能を行うことに加えて、ＵＥ全体の機能性及び動作を促進する。
【００５５】
図９は、通信リソースを管理するＬＳＡネットワークにおける方法のフローチャートである。例としては、本方法は、ＬＳＡ基地局内で行われるが、ＬＳＡ基地局に接続されている他の主体によって、いくつかの機能が行われてもよい。フローチャートのステップは、本明細書に記載されたものとは異なる順番で行われてもよく、場合によっては、一部のステップは、同時に行われてもよい。
【００５６】
ステップ９０２では、ＬＵＥからの測定報告を受信する。既知の技術に従って、各ＬＵＥが隣接セルのＲＳＲＰ及び／又はＲＳＰＱを測定し、ＳＳＡ基地局の参照信号を測定することを含む。ＬＳＡ基地局は、測定結果を報告する各ＬＵＥから送信される制御信号を受信する。
【００５７】
ステップ９０４では、干渉の可能性を判定する。図９の例としては、ＬＳＡ基地局は測定報告の評価を行い、測定結果が干渉の可能性を示すしきい値を超えているか否かを判定する。例えば、報告された電力測定値から、ＬＵＥが受信した信号電力は十分に高いことが明らかであり、ＬＳＡ基地局は、ＬＵＥからの送信がＳＳＡ基地局へ送信されるＳＵＥからの上りリンク送信と干渉する可能性があるだろうと判定する。したがって、高電力を示す測定値は、ＬＵＥがＳＳＡ基地局の付近であることを示し、ＳＳＡ基地局からの下りリンク信号によりＬＵＥで干渉を引き起こす可能性があるだろうことを示す。上記のように、他のパラメータを使用して、干渉の可能性を判定してもよい。
【００５８】
ステップ９０６では、ＬＳＡスケジューリング情報を送信するべきであるか否かが判定される。ＳＳＡ基地局及びＬＳＡ基地局が同一の通信リソースを使用する場合、干渉の可能性が高いと判定され、ＬＳＡスケジューリング情報が、送信されるべきであると判定され、本方法は、ステップ９０８にとどまる。又は、本方法はステップ９０２に戻る。
【００５９】
ステップ９０８では、ＬＳＡスケジューリング情報が送信される。上記のように、ＬＳＡスケジューリング情報を送信する２つの適当な技術の例として、ＳＩＢ内及びＭＢＳＦＮサブフレーム内で情報を送信することが挙げられる。
【００６０】
ステップ９１０では、制御情報をＬＵＥに送信することによって、ＬＵＥのスケジューリングが行われる。既知の技術によっては、上りリンク及び下りリンク通信の通信リソースが、ＰＤＣＣＨ内で識別される。
【００６１】
図１０は、中継無線通信装置にて行われる方法のフローチャートである。したがって、図１０の例として、ＲＳＵＥで本方法が行われる。フローチャートのステップは、本明細書に記載されたものとは異なる順番で行われてもよく、場合によっては、一部のステップは、同時に行われてもよい。
【００６２】
ステップ１００２では、測定報告は、ＳＳＡ基地局に送信される。既知の技術によれば、ＲＳＵＥは、ＬＳＡ基地局を含む近隣の基地局の参照信号を測定し、その結果を測定報告内で報告する。
【００６３】
ステップ１００４では、スケジューリング情報を読み込むための指示を受信したか否かが判定される。ＵＥは、制御チャネルのモニターを行い、ＳＳＡ基地局が指示を送信したか否かを判定する。指示を受信していない場合は、本方法は、ステップ１００２に戻る。又は、本方法はステップ１００６にとどまる。
【００６４】
ステップ１００６では、ＬＳＡスケジューリング情報が受信される。ＲＳＵＥは、ＬＳＡ基地局によって送信される適切な信号を復調かつデコードし、ＬＳＡスケジューリング情報を判定する。１つの例では、スケジューリング情報の位置は、準統計的に設定され、ＲＳＵＥがその位置を知らされる。スケジューリング情報を見出すＲＳＵＥの情報の好適な技術の例として、ＳＩＢ内の情報を送信することが挙げられる。この技術は、ＳＩＢ内でスケジューリング情報が送信される実施及びＭＢＳＦＮサブフレーム内でスケジューリング情報が送信される実施のいずれにおいても使用されてもよい。本明細書での例としては、ＳＩＢは、スケジューリング情報を送信するための基地局専用であり、そのため、ＳＵＥは、いずれのＳＩＢを読み込むべきかわかるようになる。更に、ＳＵＥは、ＳＩＢ変更通知に基づく更新がない限り、引き続き同じＳＩＢを読み込む必要がなくなるであろう。このため、ＳＵＥは、シグナリングをモニターして、ＳＩＢ変更通知が送信されているか否かを判定するだけでよい。
【００６５】
ステップ１００８では、ＬＳＡリソース情報は、ＳＳＡ基地局に送信される。ＬＳＡリソース情報は、少なくとも部分的にＬＳＡ基地局によって送信されるＬＳＡスケジューリング情報に基づく。状況によっては、ＬＳＡリソース情報は、ＬＳＡスケジューリング情報と同一である。
【００６６】
図１１は、通信リソースを管理するＳＳＡネットワークにおける方法のフローチャートである。例としては、本方法は、ＳＳＡ基地局内で行われるが、ＳＳＡ基地局に接続されている他の主体によって、いくつかの機能が行われてもよい。フローチャートのステップは、本明細書に記載されたものとは異なる順番で行われてもよく、場合によっては、一部のステップは、同時に行われてもよい。
【００６７】
ステップ１１０２では、ＳＵＥから測定報告を受信する。既知の技術に従って、各ＳＵＥが隣接セルのＲＳＲＰ及び／又はＲＳＰＱを測定し、これは、ＬＳＡ基地局の参照信号を測定することを含む。ＳＳＡ基地局は、測定結果を報告する各ＳＵＥから送信される制御信号を受信する。
【００６８】
ステップ１１０４では、ＳＵＥは、ＬＳＡスケジューリング情報を読み込むために識別される。測定報告に基づいて、ＳＳＡ基地局は、ＬＳＡスケジューリング情報を読み込むために、１つ以上のＳＵＥを識別する。ＳＵＥがＬＳＡ基地局参照信号を十分に高い電力で受信することを測定報告により示される場合、ＳＳＡ基地局は、ＳＵＥがＬＳＡスケジューリング情報を読み込むことができると判定する。その結果、十分に高いＬＳＡ信号電力を報告する少なくとも１つのＳＵＥが、スケジューリング情報を読み込むＳＵＥとして識別される。
【００６９】
ステップ１１０６では、ＳＳＡ基地局は、各ＳＵＥがＬＳＡスケジューリング情報を読み込むように指示する識別されたＳＵＥに対して、指示を送信する。上記のように、指示を送信する１つの技術は、専用のシグナリングメッセージ（スケジューリング情報表示メッセージ）を用いることを含む。
【００７０】
ステップ１１０８では、ＬＳＡリソース情報を受信しているか否かを判定する。上記のように、ＬＳＡリソース情報の少なくとも一部はＬＳＡスケジューリング情報に基づき、状況によっては、ＬＳＡスケジューリング情報であってもよい。ＬＳＡリソース情報を受信すると、本方法は、ステップ１１１０にとどまる。又は、本方法はステップ１１１２にとどまる。
【００７１】
ステップ１１１０では、ＳＳＡ通信の通信リソースは、ＬＳＡリソース情報に基づいて割当てられる。通信リソースをＳＵＥへ割当てるとき、ＳＳＡ基地局は、ＬＳＡ基地局によって使用されるリソースを考慮する。上記のように、ＬＳＡ基地局によって使用される通信リソースは、ＳＳＡ基地局によって回避されてもよく、又は一部の基準に基づいて、ＳＵＥに割当てられてもよい。
【００７２】
ステップ１１１２として、通信リソースは、既知の技術に従って、割当てられる。
【００７３】
ステップ１１４では、ＳＳＡ基地局は、制御信号をＳＵＥに送信し、通信リソースのスケジューリングを行う。既知の技術によれば、ステップ１１１０又はステップ１１１２で割当てられる下りリンク及び上りリンク通信リソースは、ＳＵＥに送信される制御信号において識別される。
【００７４】
本発明の他の実施形態及び変更例は、これらの教示を参酌して、明らかに、当業者に容易に創作されるだろう。上述の記載は、例示的であり限定的なものではない。本発明は、上記の明細書及び添付の図面に基づく実施形態及び変更例の全てを含む、以下の請求項によってのみ限定される。したがって、本発明の範囲は、上記の記載を参照して決定されるのではなく、均等物の全範囲と共に添付される請求項を参照して決定されるべきである。
【００７５】
【図１Ａ】
0005993520.tif 000002
【図１Ｂ】
0005993520.tif 000003
【図２】
0005993520.tif 000004
【図３Ａ】
0005993520.tif 000005
【図３Ｂ】
0005993520.tif 000006
【図４】
0005993520.tif 000007
【図５】
0005993520.tif 000008
【図６】
0005993520.tif 000009
【図７】
0005993520.tif 000010
【図８】
0005993520.tif 000011
【図９】
0005993520.tif 000012
【図１０】
0005993520.tif 000013
【図１１】
0005993520.tif 000014